(57)【特許請求の範囲】
【請求項１】
内視鏡観察像を固体撮像素子により撮像する電子内視鏡から送られてくる撮像信号を処理するための映像信号処理装置と、上記電子内視鏡に供給するための照明光を発生させるための光源とを第１の筐体内に収容し、
上記第１の筐体から独立して設けられた第２の筐体内に、商用電源入力に供給された電源を上記第１の筐体内の装置に適合する特性の電源に変換して出力する電源装置を収容して、
上記第２の筐体内の電源装置から出力される電源出力を導電線を介して上記第１の筐体内の装置に供給すると共に、
上記電源装置を手動でオン／オフさせるためのメイン電源スイッチを上記第２の筐体側に取り付けたことを特徴とする電子内視鏡装置。
【請求項２】
上記光源の起動及び点灯用の電圧を得るための昇圧トランスが上記第１の筐体内に配置されている請求項１記載の電子内視鏡装置。
【請求項３】
上記光源の電源装置が上記第２の筐体内に配置されている請求項１又は２記載の電子内視鏡装置。
【請求項４】
上記電源装置から上記第１の筐体に入力される電源を手動でオン／オフさせるためのサブ電源スイッチが上記第１の筐体側に取り付けられている請求項１、２又は３記載の電子内視鏡装置。
【請求項５】
上記電源装置と上記映像信号処理装置とを連動制御するための制御装置が上記第１と第２の筐体内に配置されていて、両制御装置が信号線によって接続されている請求項１、２又は３記載の電子内視鏡装置。
【請求項６】
上記第１の筐体内に配置された装置に対する電源をオン／オフさせるためのサブ電源スイッチが、上記第１の筐体側に配置された制御装置によって制御される請求項５記載の電子内視鏡装置。
【発明の詳細な説明】
【０００１】
【発明の属する技術分野】
この発明は、電子内視鏡に対する映像信号処理と照明光供給を行うための電子内視鏡装置に関する。
【０００２】
【従来の技術】
図１１は従来の電子内視鏡装置を示しており、内視鏡観察像を固体撮像素子によって撮像する電子内視鏡（電子スコープ）１から送られてくる撮像信号を処理するための映像信号処理装置２と、電子内視鏡１に供給する照明光を発生させるための光源装置３と、商用電源入力６から入力した商用交流電源をそれらに適合する特性の各種電源に変換するための電源装置４とが各装置内ユニットとして一つの筐体内に収容されている。
【０００３】
【発明が解決しようとする課題】
上述のように、全てが一体化された構成の従来の電子内視鏡装置は、大型になってしまうので置場や移動等の取りまわしに支障をきたすだけでなく、一部分の改良や取り替え等を行いたいときに全体を交換しなければならなくて不経済な場合がある。
【０００４】
また、映像信号処理装置とその電源装置とが同一の筐体内に配置されていると、電源回路から放射されるノイズが映像信号処理装置に飛び込むのを防ぐのが難しく、そのために画質が低下する場合がある。
【０００５】
また、この映像信号処理装置へのノイズの飛び込みを防止するために、電気的に遮蔽を行ったり、電源装置とそれ以外の装置間の距離をとることが考えられるが、新たに遮蔽部材を必要としたり、筐体が大型化して前述の問題を引き起こしてしまう。
【０００６】
そこで本発明は、取りまわしが容易で一部分の改良や取り替えを経済的に行うことができ、しかも映像信号処理装置の電源回路からのノイズの影響による画像品質の低下を防止することができる電子内視鏡装置を提供することを目的とする。
【０００７】
【課題を解決するための手段】
上記の目的を達成するため、本発明の電子内視鏡装置は、内視鏡観察像を固体撮像素子により撮像する電子内視鏡から送られてくる撮像信号を処理するための映像信号処理装置と、電子内視鏡に供給するための照明光を発生させるための光源とを第１の筐体内に収容し、その第１の筐体から独立して設けられた第２の筐体内に、商用電源入力に供給された電源を第１の筐体内の装置に適合する特性の電源に変換して出力する電源装置を収容し、第２の筐体内の電源装置から出力される電源出力を導電線を介して第１の筐体内の装置に供給するようにしたものである。
【０００８】
なお、光源がキセノンランプ等の場合には、光源の電源装置を第１の筐体内に配置するとよく、光源がハロゲンランプ等の場合には、光源の電源装置を第２の筐体内に配置するとよい。
【０００９】
また、第２の筐体に配置された電源装置を手動でオン／オフさせるためのメイン電源スイッチを第２の筐体側に取り付け、電源装置から第１の筐体に入力される電源を手動でオン／オフさせるためのサブ電源スイッチを第１の筐体側に取り付けてもよい。
【００１０】
そして、電源装置と映像信号処理装置とを連動制御するための制御装置を第１と第２の筐体内に配置して、両制御装置を信号線によって接続することにより、第１と第２の筐体内の装置を連動制御することができる。
【００１１】
また、第１の筐体内に配置された装置に対する電源をオン／オフさせるためのサブ電源スイッチを、第１の筐体側に配置された制御装置によって制御するようにしてもよい。
【００１２】
【発明の実施の形態】
図面を参照して本発明の実施の形態を説明する。
図１は、本発明の第１の実施の形態を示しており、１は、内視鏡観察像を固体撮像素子によって撮像する電子内視鏡（電子スコープ）である。
【００１３】
電子内視鏡１が着脱自在に接続されるコネクタが設けられた第１の筐体１０内には、電子内視鏡１に対して駆動信号を出力したり電子内視鏡１から送られてくる撮像信号を処理するための映像信号処理装置２が内蔵されている。
【００１４】
内視鏡観察像を表示するためのテレビモニタも、映像信号処理装置２に接続される。映像信号処理装置２に駆動電力を供給するための電源部分は第１の筐体１０には一切内蔵されていない。
【００１５】
第１の筐体１０には、電子内視鏡１に照明光を供給するための光源装置３も内蔵されている。光源装置３は、光源ランプとしてのキセノンランプ及びその起動、点灯用高電圧（例えば数千ボルト）を得るための昇圧トランスを含んでいる。したがって、高圧伝送部分の長さが短いので点灯時ノイズを少なくすることができる。
【００１６】
また、第１の筐体１０には例えばマイクロプロセッサを有する第１の制御装置７Ａが内蔵されており、映像信号処理装置２及び光源装置３の動作に必要な各種の制御を行っている。
【００１７】
第１の筐体１０と完全に分離して設けられた第２の筐体２０には、商用電源入力６から供給される商用交流電源を第１の筐体１０側の装置２，３，７Ａに必要な特性の各電源に変換するための電源装置４が内蔵されている。商用電源入力６と電源装置４との間には、電源をオン／オフ操作するためのメイン電源スイッチ５が接続されている。
【００１８】
図２は電源装置４の構成例を示しており、入力スイッチ４１とヒューズ４２を通って交流電圧が複数の安定化電源ブロック４３に並列に入力され、各安定化電源ブロック４３において目的に応じた特性の安定化電源に変換されたものが出力される。
【００１９】
図３は、安定化電源ブロック４３の構成例を示しており、交流入力がまず絶縁トランス４３１で変圧され、整流回路４３２で直流に変換される。そして、分圧回路４３４で作られた電圧と基準電圧４３５とが、誤差増幅回路４３６から制御回路４３３にフィードバックされて安定化電源出力が行われる。
【００２０】
図１に戻って、第２の筐体２０には例えばマイクロプロセッサを有する第２の制御装置７Ｂが内蔵されており、電源装置４の動作に必要な各種の制御を行っている。
【００２１】
このような第２の筐体２０と第１の筐体１０との間が電源用導電線３０と信号線４０によって接続されており、第２の筐体２０内に配置された電源装置４からの安定化電源出力が、電源用導電線３０を介して第１の筐体１０内の映像信号処理装置２、光源装置３、第１の制御装置７Ａ等に供給される。
【００２２】
また、信号線４０を介して第１の筐体１０内の第１の制御装置７Ａと第２の筐体２０内の第２の制御装置７Ｂとが接続されていて、例えば第１の筐体１０内の装置２，３が状況に合わせて最適の電源入力を得られるように、第１の筐体１０側の情報信号が第２の筐体２０側の第２の制御装置７Ｂに送られ、それに基づいて第２の制御装置７Ｂから電源装置４に制御信号が出力される。
【００２３】
なお、電源用導電線３０と信号線４０は一本のケーブルにまとめられていて、その両端には、第１の筐体１０側と第２の筐体２０側とに各々一括接続することができるいわゆる集合コネクタが取り付けられている。
【００２４】
このようにして、映像信号処理装置２と光源装置３を内蔵する第１の筐体１０と、電源装置４を内蔵する第２の筐体２０とを完全に分離して設けたことにより、一部分の改良や取り替え等を行いたいときに全体を交換しなくてもよいので経済性がよい。
【００２５】
また、映像信号処理装置２が電源装置４と全く別の筐体１０内に配置されるので、電源装置４から映像信号処理装置２に対するノイズの影響による画像品質の低下が防止され、良好な内視鏡画像を出力することができる。
【００２６】
また、各筐体１０，２０を小型化することができ、置場や移動等の状況に応じて第１の筐体１０と第２の筐体２０の配置を変えることができるので、取りまわし性がよい。
【００２７】
図４は第１の筐体１０と第２の筐体２０とを横に並べた例、図５は第１の筐体１０と第２の筐体２０とを前後並べた例、図６は第１の筐体１０と第２の筐体２０とを上下に積んだ例、図７は第１の筐体１０と第２の筐体２０を移動式のカート１００に積んだ例を示している。１１は、電子内視鏡１を接続するためのコネクタである。
【００２８】
このような配置において、横並べ（図４）及び上下積み（図６）の場合は、第１の筐体１０に関わる操作と第２の筐体２０に関わる操作とが全面で分離されてわかりやすくなり、操作性が良い。なお、上下積み（図６）の場合は、電源装置を有する第２の筐体２０を下側にすれば、重心が低くなるので電子内視鏡装置全体として安定する。
【００２９】
また、カート積み（図７）の場合は、電子内視鏡装置のうち比較的軽い方の第１の筐体１０を操作し易い高さに持ってくることができるので、従来の電子内視鏡装置と比べてカートの安定性を損なうことがない。
【００３０】
図８は本発明の第２の実施の形態を示しており、光源装置３内のランプ３ａだけを第１の筐体１０内に配置して、ランプ電源３ｂは第２の筐体２０内に配置し、その間をランプ用導線５０で接続したものである。その他は第１の実施の形態と同じである。
【００３１】
ランプ３ａとしてハロゲンランプ等のように高電圧を必要としないランプが用いられる場合には、このように映像信号処理装置２とランプ電源３ｂとを異なる筐体１０，２０に分離することにより、ランプ電源３ｂからの映像信号処理装置２に対するノイズの影響を小さくすることができる。
【００３２】
図９は本発明の第３の実施の形態を示しており、第１の筐体１０側にサブの手動スイッチ５Ａを配置し、電源用導電線３０の出力端を一端サブスイッチ５Ａに接続し、第１の筐体１０側において電源装置４からの電源入力のオン／オフを行えるようにしたものである。その他は第１の実施の形態と同じである。このように、第１の筐体１０側にサブの手動スイッチ５Ａを配置することにより、第１の筐体１０側の省電力化を図ることができる。
【００３３】
図１０は本発明の第４の実施の形態を示しており、第１の筐体１０側において、信号線４０からの入力だけでなく電源用導電線３０からの入力も第１の制御装置７Ａで受けて、映像信号処理装置２と光源装置３への電源供給を第１の制御装置７Ａにおいて必要に応じて制御できるようにしたものである。９はそのためにオン／オフ制御されるスイッチである。その他は第１の実施の形態と同じである。
【００３４】
このようにすることにより、電子内視鏡装置の動作モードにより第１の筐体１０内の各装置への電源供給を自動で選択的に行うことができ、省電力化を図ることができる。
【００３５】
【発明の効果】
本発明によれば、電子内視鏡装置において、映像信号処理装置と光源とを第１の筐体内に収容して、電源装置を第２の筐体内に収容し、第２の筐体内の電源装置から出力される電源出力を導電線を介して第１の筐体内の装置に供給するようにしたことにより、一部分の改良や取り替え等を行いたいときに全体を交換しなくてもよいので経済性がよく、また、各筐体を小型化することができ、置場や移動等の状況に応じて各筐体の配置を変えることができるので、取りまわし性がよい。さらに、映像信号処理装置への電源回路からのノイズの影響による画像品質の低下を防止することができる。
【図面の簡単な説明】
【図１】本発明の第１の実施の形態の電子内視鏡装置の構成を示すブロック図である。
【図２】本発明の第１の実施の形態の電源装置の回路を示すブロック図である。
【図３】本発明の第１の実施の形態の安定化電源回路を示すブロック図である。
【図４】本発明の第１の実施の形態の二つの筐体を横に並べた状態の斜視図である。
【図５】本発明の第１の実施の形態の二つの筐体を前後に並べた状態の斜視図である。
【図６】本発明の第１の実施の形態の二つの筐体を上下に積んだ状態の側面略示図である。
【図７】本発明の第１の実施の形態の二つの筐体をカートに積んだ状態の側面略示図である。
【図８】本発明の第２の実施の形態の電子内視鏡装置の構成を示すブロック図である。
【図９】本発明の第３の実施の形態の電子内視鏡装置の構成を示すブロック図である。
【図１０】本発明の第４の実施の形態の電子内視鏡装置の構成を示すブロック図である。
【図１１】従来の電子内視鏡装置の構成を示すブロック図である。
【符号の説明】
１  電子内視鏡
２  映像信号処理装置
３  光源装置
４  電源装置
５  メイン電源スイッチ
６  商用電源入力
７Ａ，７Ｂ  制御装置
１０  第１の筐体
２０  第２の筐体
３０  電源用導電線
４０  信号線
５０  ランプ用導線
【図１】
0004320088.tif 000002
【図２】
0004320088.tif 000003
【図３】
0004320088.tif 000004
【図４】
0004320088.tif 000005
【図５】
0004320088.tif 000006
【図６】
0004320088.tif 000007
【図７】
0004320088.tif 000008
【図８】
0004320088.tif 000009
【図９】
0004320088.tif 000010
【図１０】
0004320088.tif 000011
【図１１】
0004320088.tif 000012